(57)【要約】【課題】カメラ機能を持たない携帯端末でも、他の装置で撮影した画像を即座に取得し記憶できる携帯端末を提供する。【解決手段】記憶手段を備えた携帯端末と、撮影手段を備えた撮影装置からなり、携帯端末と撮影装置の間で通信を行なう通信手段を有し、撮影した撮影データを撮影した後即座に携帯端末に送り携帯端末の記憶手段によって記憶する。【選択図】        図１
2006173842.tif 000002
【特許請求の範囲】
【請求項１】
画像データを記憶するための画像データ記憶手段を有する携帯可能な携帯端末と、風景などを撮影して電子データとして画像データを取得する撮影手段を有する撮影装置からなり、
前記撮影装置と前記携帯端末装置の間でコマンドやデータの通信を行なう通信手段と、
前記撮影装置が前記撮影装置の近傍に前記携帯端末が存在することを検出する携帯端末検出手段を有し、
前記撮影装置が画像データを取得すると即座に前記携帯端末検出手段が検出した前記携帯端末の画像データ記憶手段にて記憶することを特徴とする画像撮影・記憶システム。
【請求項２】
前記撮影装置が前記撮影手段にて取得した画像データを暗号化する暗号化手段を有することを特徴とする請求項１に記載の画像撮影・記憶システム。
【請求項３】
前記携帯端末が前記通信手段によって、前記撮影装置に対しコマンドを発行しそのコマンドによって前記撮影装置を制御する制御手段を有することを特徴とした請求項１に記載の画像撮影・記憶システム。
【請求項４】
前記制御手段がズーム、露出、絞り、撮像などの画像撮影に関するものであり、前記制御手段を用いて撮影を行ない撮影された画像データを前記携帯端末の前記記憶手段に記憶することを特徴とする請求項３に記載の画像撮影・記憶システム。
【請求項５】
前記制御手段がパン、チルトなどの撮像装置の姿勢制御に関するものであることを特徴とする請求項３に記載の画像撮影・記憶システム。
【請求項６】
前記携帯端末が画像を表示する表示手段を有し、前記撮影装置がこれから撮影する画像を前記表示手段に表示するファインダ表示手段を有することを特徴とする請求項１に記載の画像撮影・記憶システム。
【請求項７】
前記撮影装置が撮影を行なう際に前記携帯端末が撮影されることを拒否することを表明できる撮影拒否手段を有することを特徴とした請求項１に記載の画像撮影・記憶システム。
【請求項８】
前記撮影装置によって撮影された画像データを前記携帯端末の記憶手段に記憶することを拒否することを表明できる画像格納拒否手段を有することを特徴とする請求項１に記載の画像撮影・記憶システム。
【請求項９】
前記携帯端末が近傍に前記携帯端末が存在することを認識する携帯端末認識手段と、前記携帯端末間でコマンド、データ等を通信するための通信手段と、近傍に存在する複数の前記携帯端末をグルーピングかするグルーピング手段と、そのグループのマスターになることを宣言するマスター手段を有し、マスターとなった前記携帯端末がグループを代表して前記撮影装置と通信を行ない、グループ内の前記携帯端末の記憶手段によって前記撮影装置が撮影した画像データを記憶することを特徴とする請求項１に記載の画像撮影・記憶システム。
【請求項１０】
請求項１から９いずれかに記載の画像撮影・記憶システムを実現するコンピュータ等により読み込み可能な命令コードからなるプログラムを格納した記憶媒体。
【発明の詳細な説明】
【技術分野】
【０００１】
本発明は、画像を撮影し、撮影画像を記憶する画像撮影・記憶システム及び記憶媒体に関する。
【背景技術】
【０００２】
テーマパークや遊園地において、来園者を撮影し、撮影した画像を被写体となった来場者に提示するシステムに関する技術は従来多く提案されてきている。
【０００３】
特許文献１において、来場者に発信機を所持させ、その発信機を操作して撮影装置を制御し撮影を行ない、発信機のもつ識別情報を撮影された画像とともにサーバに蓄積し、蓄積された画像の中から発信機の識別情報をキーにして来場者の写っている画像を検索し取得するシステムが開示されている。
【０００４】
特許文献２において、特定場所に設置された撮影装置が自動的かつ完結的に画像を撮影し、撮影した画像を撮影装置とは異なる場所にあってネットワークによって接続されたサーバに蓄積し、蓄積された画像を表示して被写体となった来園者に提示し、来園者が指定した画像をプリント出力するシステムが開示されている。
【０００５】
特許文献３において、来場者に電子タグを所持させ、決められた場所に設置された撮影装置が、電子タグが近づいたことを検知して撮影を行ない、撮影した画像を電子タグのタグ番号とともサーバによって記憶し、タグ番号をキーにして画像を検索して取得するシステムが開示されている。
【０００６】
特許文献４において、撮影装置と撮影された画像を蓄積するサーバとからなるシステムで、被写体となる来園者に端末を所持させ、撮影装置は端末が近づいたことを検知して撮影したり、端末の指示により撮影したりするシステムが開示されている。
【０００７】
特許文献５において、撮影装置が来場者に所持している電子機器から発信された識別信号を取得し、撮影時に近傍に存在する電子機器の識別情報を撮影画像とともに記憶し、電子機器の識別情報をキーにして画像を選択し表示するシステムが開示されている。
【０００８】
特許文献６において、来園者に端末を保持させ、撮影装置に端末が近づいたときに端末に対して近くに撮影装置が存在することを通知し、端末によって撮影操作が指示されたときに撮影を行ない、端末の持つ識別情報とともに画像を記憶し、識別情報をキーにして画像を検索取得するシステムが開示されている。
【特許文献１】特開平１０−２２４７７３号公報
【特許文献２】特開平１１−１３６６０７号公報
【特許文献３】特開２００２−４１７０３号公報
【特許文献４】特開２００２−５１２８１号公報
【特許文献５】特開２００２−１１２０７４号公報
【特許文献６】特開２００３−７８８０４号公報
【発明の開示】
【発明が解決しようとする課題】
【０００９】
しかしながら、従来の技術には次のような問題点が存在する。
【００１０】
（１）画像の検索が困難
特許文献２により開示されているシステムでは、撮影した全ての画像が来園者に提示される。例えば、１分間隔で６時間撮影したと仮定した場合、その撮影装置だけで３６０枚もの画像を見なければならない。数十箇所撮影装置が存在しているテーマパークでは来園者の写っている画像を探し出すことは不可能に近いという問題が存在する。
【００１１】
（２）複数の被写体に対処できない
来場者の持つ端末の識別情報と画像を結びつけて覚えるシステムで、特に端末と画像が一対一の関係になるようなシステム（特許文献１、特許文献３、特許文献４、特許文献６）においては、端末を保持する来園者が複数写っている画像を、画像と結びつけて記憶されている識別番号とは異なる番号の端末を保持している来園者が、自身が写っているにもかかわらずその画像を検索することができないと言う問題が存在する。
【００１２】
（３）被写体が写っていない画像が検索される可能性がある
上記（２）の問題は、画像と近傍に存在する複数の端末の識別番号を記憶するシステム（特許文献５）においては回避することがかのうであるが、近傍に存在していたと言うだけで画像とともに記憶されてしまうため、撮影装置の背面に居たり、撮影装置との間に木などの障害物が存在して写っていなかったりした場合でも、写っているものとして検索されてしまう可能性があるという問題が存在する。
【００１３】
本発明は、以上の問題点を解決するためになされたものであり、携帯端末携帯者を撮影し、携帯端末携帯者が撮影されている画像データを得ることを目的とする。
【課題を解決するための手段】
【００１４】
前記目的を達成するため、画像データを記憶するための画像データ記憶手段を有する携帯可能な携帯端末と、風景などを撮影して電子データとして画像データを取得する撮影手段を有する撮影装置からなり、前記撮影装置と前記携帯端末装置の間でコマンドやデータの通信を行なう通信手段と、前記撮影装置が前記撮影装置の近傍に前記携帯端末が存在することを検出する携帯端末検出手段を有し、前記撮影装置が画像データを取得すると即座に前記携帯端末検出手段が検出した前記携帯端末の画像データ記憶手段にて記憶するよう構成することにより、撮影装置の撮影した画像を即座に取得することができるシステムを提供できる。
【００１５】
好ましい構成例では、前記撮影装置が前記撮影手段にて取得した画像データを暗号化する暗号化手段を有するように構成することで、撮影した画像データを販売するなどの商用システムで画像データの不正使用を防止することができる。
【００１６】
好ましい構成例では、前記携帯端末が前記通信手段によって、前記撮影装置に対しコマンドを発行しそのコマンドによって前記撮影装置を制御する制御手段を有するよう構成し、携帯端末から撮影装置を制御できるシステムを提供できる。
【００１７】
好ましい構成例では、前記携帯端末が画像を表示する表示手段を有し、前記撮影装置がこれから撮影する画像を前記表示手段に表示するファインダ表示手段を有するよう構成し、被写体となる携帯端末の保持者が、自身がどのように写るかを確認して撮影されることができるシステムを提供できる。
【００１８】
好ましい構成例では、前記撮影装置が撮影を行なう際に前記携帯端末が撮影されることを拒否することを表明できる撮影拒否手段を有するよう構成することで、携帯端末保持者が撮影されたくない場合に撮影されることを回避できるシステムを提供できる。
【００１９】
好ましい構成例では、前記撮影装置によって撮影された画像データを前記携帯端末の記憶手段に記憶することを拒否することを表明できる画像格納拒否手段を有するよう構成することで、必要の無い画像データを記憶することを回避できるシステムを提供できる。
【００２０】
さらに好ましい構成例では、前記携帯端末が近傍に前記携帯端末が存在することを認識する携帯端末認識手段と、前記携帯端末間でコマンド、データ等を通信するための通信手段と、近傍に存在する複数の前記携帯端末をグルーピングかするグルーピング手段と、そのグループのマスターになることを宣言するマスター手段を有し、マスターとなった前記携帯端末がグループを代表して前記撮影装置と通信を行ない、グループ内の前記携帯端末の記憶手段によって前記撮影装置が撮影した画像データを記憶するよう構成することによって、撮影装置によって行なう処理を軽減したシステムを提供できる。
【発明の効果】
【００２１】
本発明によれば、携帯端末とは別に存在する撮影装置が撮影した画像を即座に携帯端末で記憶することができ、後から画像データを検索して取得する手間を掛けなくて良い。
【００２２】
また、近傍に存在する携帯端末がすべて対象となるため、撮影装置により撮影される全ての携帯端末に画像データを記憶することができる。
【００２３】
さらに、撮影装置の近傍に存在していても撮影装置のレンズが向いていない携帯端末の保持者は画像データの受け取りを拒否できるため、不必要な画像データを取得しなくて済む。
【発明を実施するための最良の形態】
【００２４】
以下本発明を実施するための最良の形態を、実施例により詳しく説明する。
【実施例１】
【００２５】
本発明を実施した形態を実施例１として説明する。
【００２６】
図１は実施例１の全体構成を示した図である。同図において１０１０は来場者が携帯する携帯端末、１０２０は画像を撮影する撮影装置である。
【００２７】
図２は携帯端末１０１０の構成図である。同図において、２０１０は携帯端末１０１０全体を制御する制御部、２０２０は画像データを記憶するための記憶部、２０３０は無線などにより通信を行なう通信部、２０４０はユーザの指示を制御部２０１０に伝えるための入力部、２０５０は画像データや処理結果を表示するための表示部、２０６０は携帯端末１０１０内の各部を接続するためのバスである。
【００２８】
図３は撮影装置１０２０の構成図である。同図において、３０１０は画像を撮影し電子データとして画像データを取り出す撮影部、３０２０は撮影装置１０２０全体を制御する制御部、３０３０は無線などで通信を行なうための通信部、３０４０は携帯端末１０１０が近くに存在することを検出するためのセンサー部、３０５０は撮影装置１０２０内の各部を接合するためのバス、３０６０は音声メッセージを出力するための音声出力部である。
【００２９】
以下、図を用いながら本実施例の処理を説明する。本実施例を実施したシステムをテーマパーク内で使用することを想定している。
【００３０】
まず、テーマパークの入口で、携帯端末１０１０が来場者に貸与される。
【００３１】
図４は、本実施例の撮影装置１０２０における処理の流れを示すフローチャートである。以下このフローチャートを用いて説明する。
【００３２】
ステップＳ４０１０において、まず近傍に存在する携帯端末１０１０とその状態を記録する携帯端末リストを初期化する。携帯端末リストが既に存在する場合は、リスト上の全ての携帯端末を未発見状態にする。
【００３３】
撮影装置１０２０の制御部３０２０はセンサー部３０４０によって、近傍に存在する携帯端末１０１０を検出する。これは、携帯端末１０１０が通信部２０３０によって出力している小出力で到達距離が数メートルから十数メートルの電波によって携帯端末１０１０の識別情報をセンサー部３０４０によって受信することで行なわれる。
【００３４】
受信された携帯端末１０１０の識別情報は携帯端末リスト上に記録されているかどうかを調べ記録されていなければ、携帯端末リストに記録し、状態を新発見状態にする。既に携帯端末リストに存在する場合は発見済み状態にする。
【００３５】
ステップＳ４０２０において、新たにリストに加わった、すなわちリスト上で新発見状態になっている携帯端末１０１０に対して認証処理を行なう。
【００３６】
認証処理は、撮影装置１０２０が生成した文字列を携帯端末１０１０に送り、その文字列を携帯端末１０１０が持つ固有情報を付加して携帯端末のもつ暗号鍵によって暗号化し撮影装置１０２０に送り返す。撮影装置１０２０は同じ暗号鍵を持っており、その暗号鍵を用いて送られてきた暗号データを復号化し、最初に携帯端末１０１０に送った文字列と携帯端末１０１０の固有情報が復号化されることを確認するいわゆるチャレンジ・レスポンス方式で行なう。
【００３７】
認証に失敗した場合は、携帯端末リストから削除し、認証された場合は状態を発見済みに変更する。
【００３８】
また、リスト上に未発見状態で残っている携帯端末は、既に近傍に存在しないものとしてリストから削除する処理を行なう。
【００３９】
ステップＳ４０３０において、携帯端末リストに携帯端末１０１０がリストアップされているかを調べる。リストアップされている携帯端末１０１０が存在しない場合は、処理を終了する。リストに携帯端末１０１０がリストアップされている場合はステップＳ４０４０に進む。
【００４０】
ステップＳ４０４０において、撮影装置１０２０は撮影部３０１０によって撮影を行ない、画像データを取得する。
【００４１】
ステップＳ４０５０において、撮影装置１０２０は通信部３０３０によって携帯端末１０１０の通信部２０３０との間に開いた通信路を開く。開いた通信路によって通信を行ない、携帯端末１０１０のモードを調べる。携帯端末のモードは、撮影を許可する撮影許可モード、その上で画像データの送信も許す画像転送許可モード、全てを許可しない不許可モードの３つのモードを持つ。これらのモードは入力部２０４０によってユーザが変更可能で、記憶部２０２０によって記憶されている。
【００４２】
撮影可能な携帯端末１０１０を記録する撮影可能リストを初期化する。初期化はリスト上に記録されている携帯端末１０１０の識別情報をリストから消去することによって行なう。
【００４３】
携帯端末１０１０が撮影許可モードまたは画像転送許可モードである場合に、携帯端末の識別情報を撮影許可リストにモードとともに追加する。
【００４４】
ステップＳ４０６０において、撮影許可リストに携帯端末１０１０が記録されていない場合もしくは、ステップＳ４０５０で画像転送許可モードの携帯端末１０１０が見つからなかった場合は処理を終了する。そうでない場合はステップＳ４０７０に進む。
【００４５】
ステップＳ４０７０では、撮影装置１０２０は音声出力部３０６０から撮影を行なう旨を伝えるための音声を出力してから撮影部３０１０によって撮影を行ない、画像データを取得する。その後ステップＳ４０８０に進む。
【００４６】
ステップＳ４０８０において、撮影許可リストに載っていて画像転送許可モードである携帯端末１０１０に対して画像転送を行なう。
【００４７】
画像転送は、撮影装置１０２０から画像転送コマンドを通信部３０３０によってステップＳ４０５０で開いた通信路によって携帯端末１０１０に送られる。コマンドには画像データのサイズが含まれており、携帯端末１０１０が記憶部２０２０の空き容量を調べて画像データを格納可能かをあらかじめ調べられるようになっている。そのコマンドに対するレスポンスが正常に返ってきた場合に画像データを通信路を使って携帯端末１０１０に送ることによって行なわれる。携帯端末１０１０は送られてきた画像データを記憶部２０２０に記憶する。
【００４８】
以上のように、撮影装置１０２０で撮影した画像データを携帯端末１０１０に送り、携帯端末１０１０に画像データを記憶することができる。
【００４９】
携帯端末１０１０は、入力部２０４０からのユーザ操作に基づいて記憶部２０２０に記憶されている画像データを取り出し、表示部２０５０で表示する。
【００５０】
なお、本実施例では撮影することを、音声を用いて通知するように構成したが、光などの別の手段によって被写体に知らせても良い。
【００５１】
た、本実施例では画像データは平文のまま撮影装置１０２０から携帯端末１０１０に転送されたが、携帯端末の知らない暗号鍵によって暗号化して送り、画像データの利用に制限を掛けることもできる。
【００５２】
さらに本実施例では、撮影を許可する携帯端末１０１０が存在するときには撮影を行なうように構成されているが、逆に撮影を許可しない携帯端末１０１０が１つでも存在する場合には撮影を行なわないように構成することも可能である。
【００５３】
本実施例では、携帯端末１０１０の撮影許可モードはあらかじめユーザが設定しておくよう構成されているが、撮影許可の度に表示部２０５０に撮影許可が要求されたことを示すメッセージを表示しそれに対するユーザの応答を入力部２０４０から入力できるように構成することもできる。
【００５４】
また、本実施例では撮影装置１０２０のセンサー部３０４０は携帯端末１０１０を検出するように構成されているが人間センサーなどの来場者を検出するものとして構成することもできる。
【実施例２】
【００５５】
本発明の第２の実施例について説明する。
【００５６】
本実施例の全体構成は実施例１と同じであり、図１で示す構成になっている。また、携帯端末１０１０、撮影装置１０２０の構成も実施例１と同じで、各々図２、図３で示される構成になっている。
【００５７】
撮影装置１０２０は、撮影装置１０２０の存在を示すため到達距離が数メートルから十数メートルの微弱な電波を通信部３０３０から発信している。
【００５８】
撮影装置１０２０の存在を通信部２０３０で電波を受信したことにより認識した携帯端末１０１０は図５に示すフローチャートに従い処理を行なう。
【００５９】
ステップＳ５０１０において、携帯端末１０１０は撮影装置１０２０が発信しているとは異なる到達距離が数メートルから十数メートルの微弱電波によって回りに存在する携帯端末１０１０を探すためのコマンドを通信部２０３０から発信する。そのコマンドを受信した他の携帯端末１０１０は、コマンドに対するレスポンスとしてその携帯端末の識別情報を返す。コマンドに対して識別情報を返してきた携帯端末１０１０を携帯端末リストにリストアップする。
【００６０】
ステップＳ５０２０において、携帯端末リストにリストアップされた全ての携帯端末１０１０に対して、グループ形成コマンドを送信する。グループ形成コマンドを受信した携帯端末１０１０はグループ形成コマンドを受信したことを示すメッセージを表示部２０５０に表示する。そのメッセージを確認したユーザが入力部２０４０によってグループへの参加を許可すると、グループ形成コマンドに対してＯＫのレスポンスを返す。ユーザが許可しない場合もしくはユーザがあらかじめ決められた時間内に意思表示をしない場合はグループ形成コマンドに対してＮＧのレスポンスを返す。
【００６１】
ＮＧのレスポンスを返してきた携帯端末１０１０は携帯端末リストから削除される。
【００６２】
ステップＳ５０３０において、ステップＳ５０２０にてグループ形成コマンドを発行した携帯端末１０１０は形成されたグループのマスターとして、自身の携帯端末識別情報と、撮影装置１０２０に対してステップＳ５０２０で作成した携帯端末リストを撮影マスターコマンドとして送る。撮影マスターコマンドを撮影装置１０２０が受け付けるとＯＫレスポンスが返ってくる。ＯＫではなくＮＧが返ってきた場合は処理を終了する。
【００６３】
ステップＳ５０４０において、撮影マスターコマンドがＯＫで返ってきた場合、携帯端末１０１０は表示部２０５０に撮影可能であることを示すメッセージを表示する。それに対してユーザが入力部２０４０を使用して撮影指示を行なうと、携帯端末１０１０の制御部２０２０は通信部２０３０によって撮影装置１０２０に対して撮影コマンドを送る。
【００６４】
撮影コマンドを送られた撮影装置１０２０は、撮影部３０１０によって撮影を行ない、画像データを取得する。
【００６５】
ステップＳ５０５０において、撮影装置１０２０はステップＳ５０４０で取得した画像データを、ステップＳ５０３０で通知された携帯端末リストに記載されている携帯端末１０１０に通信部３０３０によって送信する。
画像データを送信された携帯端末１０１０は送信された画像データを記憶部２０２０に記憶する。
【００６６】
本実施例では、撮影装置１０２０が携帯端末リストに記載されている携帯端末１０１０に対して直接画像データを送信するよう構成されているが、マスターとなっている携帯端末にだけ画像データを送信し、リスト上の携帯端末１０１０への画像データ転送はマスターとなっている携帯端末１０１０によって行なうよう構成することも可能である。
【００６７】
本実施例では撮影コマンドによって撮影のみを行なっているが、撮影装置１０２０の向いている向きを制御するパンやチルトを行なったり、ズームや絞りなどの撮影パラメータを変更するようにすることも可能である。
【００６８】
また、通常のカメラのファインダのように、これから撮影する画像を携帯端末に送り、携帯端末１０１０の表示部２０５０に表示して携帯端末１０１０の保持者にこれから撮影する画像をフィードバックすることができる。
【図面の簡単な説明】
【００６９】
【図１】実施例１の全体構成図
【図２】図１の端末の構成図
【図３】図１の撮影装置の構成図
【図４】実施例１の処理フロー
【図５】実施例２の処理フロー
【符号の説明】
【００７０】
１０１０  端末
１０２０  撮影装置
２０１０  端末の制御部
２０２０  記憶部
２０３０  端末の通信部
２０４０  入力部
２０５０  表示部
２０６０  端末のバス
３０１０  撮影部
３０２０  撮影装置の制御部
３０３０  撮影装置の通信部
３０４０  センサー部
３０５０  撮影装置のバス
３０６０  音声出力部
【図１】
2006173842.tif 000003
【図２】
2006173842.tif 000004
【図３】
2006173842.tif 000005
【図４】
2006173842.tif 000006
【図５】
2006173842.tif 000007